(57)【要約】【課題】プライバシーとセキュリティとを両立でき、画像データの概要を容易に確認でき、画像データの保存先の自由度を向上できる画像処理システムを提供する。【解決手段】画像処理システムの第１の画像処理装置は、撮像された第１の画像データに対してぼかし処理を行い、第２の画像データを得て、第１の画像データに対して、又は第１の画像データに基づく第３の画像データに対して、分散処理し、複数の分散データを得て、第２の画像データ及び複数の分散データを、少なくとも１つの指定された記憶装置に送信する。画像処理システムの第２の画像処理装置は、少なくとも１つの指定された記憶装置から、第２の画像データ及び複数の分散データを受信し、少なくとも複数の分散データに基づいて、第１の画像データを復元する。【選択図】図１
2016021649.tif 000002
【特許請求の範囲】
【請求項１】
第１の画像処理装置、第２の画像処理装置、及び記憶装置がネットワークを介して接続された画像処理システムであって、
前記第１の画像処理装置は、
撮像された第１の画像データに対してぼかし処理を行い、第２の画像データを得る画像生成部と、
前記第１の画像データに対して、又は前記第１の画像データに基づく第３の画像データに対して、分散処理し、複数の分散データを得る分散処理部と、
前記第２の画像データ及び前記複数の分散データを、少なくとも１つの指定された記憶装置に送信する第１の通信部と、
を備え、
前記記憶装置は、前記第１の画像処理装置からの前記第２の画像データ及び前記分散データの少なくとも１つを記憶し、
前記第２の画像処理装置は、
前記少なくとも１つの指定された記憶装置から、前記第２の画像データ及び前記複数の分散データを受信する第２の通信部と、
少なくとも前記複数の分散データに基づいて、前記第１の画像データを復元する復元処理部と、
を備える、画像処理システム。
【請求項２】
請求項１に記載の画像処理システムであって、
前記記憶装置の少なくとも１つは、公衆通信回線を介して前記第１の画像処理装置と接続され、前記第１の画像処理装置が配置されたエリアの外側に配置された、画像処理システム。
【請求項３】
請求項１に記載の画像処理システムであって、
前記記憶装置の少なくとも１つは、狭域通信回線を介して前記第１の画像処理装置と接続され、前記第１の画像処理装置が設置されたエリア内に配置された、画像処理システム。
【請求項４】
請求項１に記載の画像処理システムであって、
前記記憶装置の少なくとも１つは、狭域通信回線を介して前記第２の画像処理装置と接続され、前記第２の画像処理装置が設置されたエリア内に配置された、画像処理システム。
【請求項５】
請求項１ないし４のいずれか１項に記載の画像処理システムであって、
前記画像生成部は、前記第１の画像データに対して分散処理し、複数の分散データを得て、
前記復元処理部は、前記複数の分散データに基づいて、前記第１の画像データを復元する、画像処理システム。
【請求項６】
請求項１ないし４のいずれか１項に記載の画像処理システムであって、
前記画像生成部は、前記第３の画像データとして、前記第１の画像データと前記第２の画像データとの差分画像を生成し、
前記分散処理部は、前記差分画像に対して分散処理し、複数の分散データを得て、
前記復元処理部は、前記第２の画像データと前記複数の分散データとに基づいて、前記第１の画像データを復元する、画像処理システム。
【請求項７】
請求項１ないし６のいずれか１項に記載の画像処理システムであって、
前記第１の通信部は、前記第２の画像データが結合された分散データを含む複数の分散データを、少なくとも１つの前記記憶装置に送信し、
前記第２の通信部は、前記少なくとも１つの記憶装置から複数の前記分散データを取得し、
前記復元処理部は、前記第２の画像データが結合された分散データから前記第２の画像データを分離し、少なくとも複数の前記分散データに基づいて、前記第１の画像データを復元する、画像処理システム。
【請求項８】
請求項１ないし７のいずれか１項に記載の画像処理システムであって、
前記第１の画像処理装置は、前記第１の画像データを撮像する撮像部を備える、画像処理システム。
【請求項９】
請求項１ないし７のいずれか１項に記載の画像処理システムであって、更に、
前記第１の画像データを撮像する撮像装置を備え、
前記撮像装置は、前記第１の画像データを前記第１の画像処理装置へ送信し、
前記第１の通信部は、前記第１の画像データを受信する、画像処理システム。
【請求項１０】
請求項１ないし９のいずれか１項に記載の画像処理システムであって、
前記第１の画像処理装置は、前記分散処理に係る設定情報を生成する設定情報生成部を備え、
前記第１の通信部は、前記設定情報を送信し、
前記第２の通信部は、前記設定情報を受信し、前記設定情報に基づいて、前記少なくとも１つの記憶装置から前記第２の画像データ及び複数の前記分散データを取得し、
前記復元処理部は、前記設定情報に基づいて、前記第１の画像データを復元する、画像処理システム。
【請求項１１】
請求項１０に記載の画像処理システムであって、
前記設定情報は、前記第２の画像データの記憶先、前記分散データの記憶先、前記ぼかし処理によるぼかし具合、及び分散処理による分散方法の情報の少なくとも１つを含む、画像処理システム。
【請求項１２】
撮像された第１の画像データに対してぼかし処理を行い、第２の画像データを得る画像生成部と、
前記第１の画像データに対して、又は前記第１の画像データに基づく第３の画像データに対して、分散処理し、複数の分散データを得る分散処理部と、
前記第２の画像データ及び前記複数の分散データを、少なくとも１つの指定された記憶装置に送信する通信部と、
を備える画像処理装置。
【請求項１３】
少なくとも１つの指定された記憶装置から、撮像された第１の画像データに対するぼかし処理により得られた第２の画像データと、複数の分散データと、を受信する通信部と、
少なくとも前記複数の分散データに基づいて、前記第１の画像データを復元する復元処理部と、
を備え、
前記分散データは、前記第１の画像データに対して、又は前記第１の画像データに基づく第３の画像データに対して分散処理することで得られる、画像処理装置。
【請求項１４】
第１の画像処理装置、第２の画像処理装置、及び記憶装置がネットワークを介して接続された画像処理システムにおける画像処理方法であって、
前記第１の画像処理装置により、撮像された第１の画像データに対してぼかし処理を行い、第２の画像データを得るステップと、
前記第１の画像処理装置により、前記第１の画像データに対して、又は前記第１の画像データに基づく第３の画像データに対して、分散処理し、複数の分散データを得るステップと、
前記第１の画像処理装置により、前記第２の画像データ及び前記複数の分散データを、少なくとも１つの指定された記憶装置に送信するステップと、
前記第２の画像処理装置により、前記少なくとも１つの指定された記憶装置から、前記第２の画像データ及び前記複数の分散データを受信するステップと、
前記第２の画像処理装置により、少なくとも前記複数の分散データに基づいて、前記第１の画像データを復元するステップと、
を備える、画像処理方法。
【発明の詳細な説明】
【技術分野】
【０００１】
本発明は、画像処理システム、画像処理装置、及び画像処理方法に関する。
【背景技術】
【０００２】
従来、通常時には、撮像された画像の一部の領域をマスクで隠すことでプライバシーを保護し、非常時（例えば犯罪発生時）には、マスクで隠れている部分を復元してセキュリティを確保する監視カメラシステムが知られている（例えば、特許文献１参照）。
【先行技術文献】
【特許文献】
【０００３】
【特許文献１】特開２００８−２８８７４４号公報
【発明の概要】
【発明が解決しようとする課題】
【０００４】
特許文献１に記載された監視カメラシステムでは、プライバシーとセキュリティとを両立するとともに、画像データの概要を確認し、画像データの保存先の自由度を向上させることが困難であった。
【０００５】
本発明は、上記事情に鑑みてなされたものであり、プライバシーとセキュリティとを両立でき、画像データの概要を容易に確認でき、画像データの保存先の自由度を向上できる画像処理システム、画像処理装置、及び画像処理方法を提供する。
【課題を解決するための手段】
【０００６】
本発明の画像処理システムは、第１の画像処理装置、第２の画像処理装置、及び記憶装置がネットワークを介して接続された画像処理システムであって、前記第１の画像処理装置は、撮像された第１の画像データに対してぼかし処理を行い、第２の画像データを得る画像生成部と、前記第１の画像データに対して、又は前記第１の画像データに基づく第３の画像データに対して、分散処理し、複数の分散データを得る分散処理部と、前記第２の画像データ及び前記複数の分散データを、少なくとも１つの指定された記憶装置に送信する第１の通信部と、を備え、前記記憶装置は、前記第１の画像処理装置からの前記第２の画像データ及び前記分散データの少なくとも１つを記憶し、前記第２の画像処理装置は、前記少なくとも１つの指定された記憶装置から、前記第２の画像データ及び前記複数の分散データを受信する第２の通信部と、少なくとも前記複数の分散データに基づいて、前記第１の画像データを復元する復元処理部と、を備える。
【０００７】
本発明の画像処理装置は、撮像された第１の画像データに対してぼかし処理を行い、第２の画像データを得る画像生成部と、前記第１の画像データに対して、又は前記第１の画像データに基づく第３の画像データに対して、分散処理し、複数の分散データを得る分散処理部と、前記第２の画像データ及び前記複数の分散データを、少なくとも１つの指定された記憶装置に送信する通信部と、を備える。
【０００８】
本発明の画像処理装置は、少なくとも１つの指定された記憶装置から、撮像された第１の画像データに対するぼかし処理により得られた第２の画像データと、複数の分散データと、を受信する通信部と、少なくとも前記複数の分散データに基づいて、前記第１の画像データを復元する復元処理部と、を備え、前記分散データは、前記第１の画像データに対して、又は前記第１の画像データに基づく第３の画像データに対して分散処理することで得られる。
【０００９】
本発明の画像処理方法は、第１の画像処理装置、第２の画像処理装置、及び記憶装置がネットワークを介して接続された画像処理システムにおける画像処理方法であって、前記第１の画像処理装置により、撮像された第１の画像データに対してぼかし処理を行い、第２の画像データを得るステップと、前記第１の画像処理装置により、前記第１の画像データに対して、又は前記第１の画像データに基づく第３の画像データに対して、分散処理し、複数の分散データを得るステップと、前記第１の画像処理装置により、前記第２の画像データ及び前記複数の分散データを、少なくとも１つの指定された記憶装置に送信するステップと、前記第２の画像処理装置により、前記少なくとも１つの指定された記憶装置から、前記第２の画像データ及び前記複数の分散データを受信するステップと、前記第２の画像処理装置により、少なくとも前記複数の分散データに基づいて、前記第１の画像データを復元するステップと、を備える。
【発明の効果】
【００１０】
本発明によれば、プライバシーとセキュリティとを両立でき、画像データの概要を容易に確認でき、画像データの保存先の自由度を向上できる。
【図面の簡単な説明】
【００１１】
【図１】第１の実施形態におけるカメラシステムの構成例を示す模式図
【図２】第１の実施形態におけるカメラの構成例を示すブロック図
【図３】第１の実施形態における分散データの形式の一例を示す模式図
【図４】第１の実施形態における画像分散部の構成例を示すブロック図
【図５】第１の実施形態におけるＰＣ（Ｐｅｒｓｏｎａｌ  Ｃｏｍｐｕｔｅｒ）の構成例を示すブロック図
【図６】第１の実施形態における画像復元部の構成例を示すブロック図
【図７】（Ａ），（Ｂ）第１の実施形態における秘密分散の一例の概略を説明するための模式図
【図８】第１の実施形態における所定の端末による初期設定手順の一例を示すフローチャート
【図９】第１の実施形態における構成ファイルの登録内容の一例を示す模式図
【図１０】第１の実施形態におけるカメラによる処理手順の一例を示すフローチャート
【図１１】第１の実施形態におけるＰＣによる処理手順の一例を示すフローチャート
【図１２】第２の実施形態におけるカメラの構成例を示すブロック図
【図１３】第２の実施形態における分散データの形式の一例を示す模式図
【図１４】第２の実施形態における画像分散部の構成例を示すブロック図
【図１５】第２の実施形態におけるＰＣの構成例を示す模式図
【図１６】第２の実施形態における画像復元部の構成例を示すブロック図
【図１７】第３の実施形態におけるカメラの構成例を示すブロック図
【図１８】（Ａ）第３の実施形態における１枚の差分画像の分散データにぼかし画像が結合された場合の分散データの形式の一例を示す模式図、（Ｂ）第３の実施形態における全ての差分画像の分散データにぼかし画像が結合された場合の分散データの形式の一例を示す模式図
【図１９】第３の実施形態におけるＰＣの構成例を示すブロック図
【図２０】第３の実施形態におけるカメラの処理手順の一例を示すフローチャート
【図２１】第３の実施形態におけるＰＣの処理手順の一例を示すフローチャート
【図２２】第４の実施形態におけるカメラの構成例を示すブロック図
【図２３】（Ａ）第４の実施形態における１枚の元画像の分散データにぼかし画像が結合された場合の分散データの形式の一例を示す模式図、（Ｂ）第４の実施形態における全ての元画像の分散データにぼかし画像が結合された場合の分散データの形式の一例を示す模式図
【図２４】第４の実施形態におけるＰＣの構成例を示すブロック図
【図２５】変形例１におけるカメラシステムの構成を示す模式図
【図２６】変形例２におけるカメラシステムの構成を示す模式図
【図２７】変形例３におけるカメラシステムの構成を示す模式図
【図２８】変形例４におけるカメラシステムの構成を示す模式図
【図２９】変形例５におけるカメラシステムの構成を示す模式図
【図３０】変形例６におけるカメラシステムの構成を示す模式図
【図３１】変形例７におけるカメラシステムの構成を示す模式図
【図３２】変形例７におけるカメラ及びＰＣの構成例を示すブロック図
【発明を実施するための形態】
【００１２】
以下、本発明の実施形態について、図面を用いて説明する。
【００１３】
（本発明の一形態を得るに至った経緯）
特許文献１の監視カメラシステムでは、例えばマスクされた領域（マスク領域）の内容を確認できない。例えば、マスク領域にプライバシーとは関連の低い内容（例えば店内に人がいるか）が含まれる場合、マスク領域を復元しなければ、この内容を確認できない。
【００１４】
また、例えばノイズの重畳により画像上にマスクが形成された場合、マスクが形成される前の画像を復元できない場合がある。
【００１５】
また、監視カメラが設置された拠点（例えば店舗や、銀行）では、監視カメラにより撮像された画像を記憶するレコーダを設置不可能な場所もある。この場合、例えばクラウドコンピューティングを利用して画像データを保存することも検討される。しかし、単にクラウドコンピューティングを利用すると、画像データが盗まれた場合に画像データの中身が解読される懸念がある。つまり、画像データを安全に管理しようとすると、画像データの記憶場所が制限されることがあった。画像データは、クラウド上の記憶装置を含め、様々な管理ポリシに基づく場所において保存されることが望ましい。
【００１６】
以下、プライバシーとセキュリティとを両立でき、画像データの概要を容易に確認でき、画像データの保存先の自由度を向上できる画像処理システム、画像処理装置、及び画像処理方法について説明する。
【００１７】
以下の実施形態の画像処理システムは、カメラで撮影された画像を蓄積するカメラシステムに適用される。
【００１８】
（第１の実施形態）
図１は、第１の実施形態におけるカメラシステム５の構成例を示す模式図である。カメラシステム５では、例えば、カメラ１０、記憶装置３０、及びＰＣ（Ｐｅｒｓｏｎａｌ  Ｃｏｍｐｕｔｅｒ）５０が、インターネット７を介して接続される。
【００１９】
カメラ１０（撮像装置の一例）は、例えば、複数の拠点３にそれぞれ設置され、通信装置２０に接続される。カメラ１０は、各拠点３において複数設置されてもよい。記憶装置３０は、例えば、複数のパブリッククラウド６にそれぞれ配置される。記憶装置３０は、各パブリッククラウド６において複数設置されてもよい。ＰＣ５０は、本部９に設置され、通信装置４０に接続される。カメラ１０及び通信装置２０は、第１の画像処理装置の一例である。ＰＣ５０は、第２の画像処理装置の一例である。
【００２０】
拠点３（エリアの一例）は、例えば、各種店舗（例えばコンビニストア、銀行）を含む。各拠点３には、例えば防犯のために、拠点３内を監視する複数のカメラ１０が設置される。
【００２１】
各カメラ１０により撮像された画像データ（元画像）（第１の画像データの一例）は、撮像された画像データに基づいて分散処理され、分散データが生成される。各カメラ１０により生成された分散データは、通信装置２０を介してインターネット７に送信される。
【００２２】
通信装置２０は、例えば、インターネット７に接続可能なルータ及びモデムの少なくとも一方を有し、カメラ１０から出力される画像データをインターネット７に送信する。ルータ及びモデムは、ハードウェアにより実現されてもよいし、ソフトウェアにより機能的に実現されてもよい。
【００２３】
パブリッククラウド６は、クラウドコンピューティングによって運用される。例えば、公衆通信回線（例えばインターネット７）に接続されたパブリッククラウド６上の記憶装置３０に、各種データを保存可能である。記憶装置３０は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、を含む。公衆通信回線は、公衆無線回線及び公衆有線回線の少なくとも一方を含む。
【００２４】
本部９（エリアの一例）は、例えば、各カメラ１０により撮像された画像を監視する監視センタである。本部９には、ＰＣ５０が設置される。尚、ＰＣ５０の代わりに、タブレット端末が設置されてもよい。ＰＣ５０は、例えば、通信装置４０を介してインターネット７から受信した分散データに基づいて復元処理し、元画像を生成する。通信装置４０は、通信装置２０と同様に、ルータ及びモデムの少なくとも一方を有する。
【００２５】
図２はカメラ１０の構成例を示すブロック図である。ここでは、後述する差分画像を分散させる場合を示す。カメラ１０は、撮像部１１、画像分散部１２、送信先記憶部１３及び送信部１４を有する。
【００２６】
撮像部１１は、例えば、レンズを通して集光した光をイメージセンサ上に結像させることで、電気信号を生成し、元画像（フレーム画像）を得る。
【００２７】
画像分散部１２は、撮像部１１により得られた元画像に対し、所定のぼかし処理を施し、ぼかし画像（第２の画像データの一例）を生成する。従って、画像分散部１２は、画像生成部としての機能を有する。尚、画像分散部１２は、元画像における特定の領域（例えば人物の顔を含む領域）に対して、ぼかし処理を施してもよい。これにより、特定の領域の明瞭性を低下させ、プライバシーを保護できる。
【００２８】
画像分散部１２は、元画像とぼかし画像との差分を示す差分画像（第３の画像データの一例）を生成する。画像分散部１２は、例えば、元画像とぼかし画像の対応する画素の値を減算することで、差分画像を得る。尚、画像分散部１２は、ぼかし処理が施された特定の領域に対応して、例えば同じ領域の部分の差分画像を生成してもよい。これにより、差分画像を生成するための処理負荷を低減できる。
【００２９】
画像分散部１２は、差分画像に対して、所定の秘密分散法（秘密分散処理）に係る分散処理を施し、複数枚の差分画像の分散データを生成する。つまり、１つの差分画像に対して、分散データが複数生成される。従って、画像分散部１２は、分散処理部としての機能を有する。秘密分散処理の詳細については後述する。
【００３０】
画像分散部１２は、ぼかし処理では、例えば、元画像から後述する低周波画像を生成してもよいし、元画像に対して各種のフィルタ処理を施して、ぼかし画像を生成してもよい。画像分散部１２は、ぼかし処理では、例えば、元画像にノイズを重畳してぼかし画像を生成してもよいし、所定の画素単位で周期的に画素領域を空白又は他の画像で置き換え、ぼかし画像を生成してもよい。つまり、画像分散部１２は、元画像の概要が理解でき、元画像の詳細が不明となるように、ぼかし処理を行う。
【００３１】
図３は分散データの形式の一例を示す模式図である。
【００３２】
カメラ１０により撮像された画像データから、ぼかし画像と、複数枚（Ｎ枚）の差分画像の分散データと、が生成される。この場合、上記のぼかし画像と複数枚の差分画像の分散データとを結合させることで、元画像が復元される。
【００３３】
ぼかし画像として、例えば、画像を一定領域毎に分け、この一定領域内の画素の平均をとることで生成される低周波画像が用いられる。低周波画像は、低周波成分が抜き出された画像であり、空間周波数の高い成分によって表現される輪郭等の画像の細かい部分は含まれず、詳細を確認できない画像（例えば、焦点をぼかした画像、モザイクをかけた画像）となる。
【００３４】
従って、低周波画像を用いることで、カメラ１０によって撮影された場所や被写体の大まかな状況（概要）を把握できるが、この場所や被写体の詳細を確認できないので、プライバシーを保護できる。
【００３５】
送信先記憶部１３は、ぼかし画像及び複数枚の分散データを送信する少なくとも１つの送信先を記憶する。例えば、送信先として、３つのパブリッククラウド６にそれぞれ存在する記憶装置３０が登録される。送信先記憶部１３は、構成ファイル７５を記憶してもよい。ここでの画像やデータの「送信先」は、画像やデータの「保存先」とも言える。
【００３６】
記憶装置３０には、データ記憶領域３０ａが割り当てられている。また、送信先の指定には、例えば、ＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレス、フォルダパスの情報が用いられる。尚、送信先記憶部１３に記憶される送信先は、後述する構成ファイル７５（図９参照）に登録される。
【００３７】
送信部１４は、画像分散部１２によって生成されたぼかし画像及び差分画像の複数枚（Ｎ枚）の分散データを送信する。送信部１４は、例えば、ぼかし画像及び分散データを、構成ファイルに登録された送信先に送信する。また、送信部１４は、ぼかし画像をＰＣ５０へ直接送信してもよい。これにより、ＰＣ５０のユーザは、ぼかし画像をリアルタイムで確認できる。送信部１４は、第１の通信部の一例である。
【００３８】
図４は、画像分散部１２の構成例を示すブロック図である。図４では、差分画像を分散させる場合を示す。画像分散部１２は、低周波画像生成部１２１、差分画像生成部１２２、画像符号化部１２３、及び秘密分散処理部１２４を有する。
【００３９】
低周波画像生成部１２１は、元画像から低周波画像を生成する。低周波画像生成部１２１は、例えば、画像を一旦空間周波数領域に変換し、空間周波数の低い成分を抽出することで、低周波画像を生成する。低周波画像生成部１２１は、例えば、例えば、フレーム画像に対して所定の周波数変換（例えばフーリエ変換、離散コサイン変換、ウェーブレット変換）を行い、空間周波数の低い成分を抽出して逆変換することで、低周波画像を生成する。低周波画像は、ぼかし画像の一例である。
【００４０】
差分画像生成部１２２は、カメラ１０により得られた元画像と、低周波画像生成部１２１により生成された低周波画像と、の差分画像を生成する。
【００４１】
画像符号化部１２３は、低周波画像及び差分画像を符号化する。
【００４２】
秘密分散処理部１２４は、符号化された差分画像に対して分散処理を行い、分散データを複数枚（Ｎ枚）得る。
【００４３】
図５はＰＣ５０の構成例を示す模式図である。ＰＣ５０は、送信先記憶部５１、受信部５２、画像復元部５３、及び表示部５４を有する。
【００４４】
送信先記憶部５１は、例えば、ぼかし画像及び差分画像の分散データが格納される送信先を記憶する。この送信先は、後述する構成ファイル７５（図９参照）に登録される。送信先記憶部５１は、構成ファイル７５を記憶してもよい。
【００４５】
受信部５２は、例えば、上記の送信先を参照して、インターネット７を介して、ぼかし画像及び複数枚の差分画像の分散データを受信する。受信部５２は、例えば、復元対象の符号化された低周波画像に対応する差分画像を受信する。受信部５２は、第２の通信部の一例である。
【００４６】
画像復元部５３は、ぼかし画像及び複数枚の差分画像の分散データを用いて、所定の秘密分散法（秘密分散処理）に係る復元処理を施し、元画像を得る。従って、画像復元部５３は、復元処理部としての機能を有する。
【００４７】
表示部５４は、画像復元部５３によって復元された元画像を再生して表示する。
【００４８】
図６は画像復元部５３の構成例を示すブロック図である。画像復元部５３は、秘密分散復元部５３１、画像復号部５３２、及び画像合成部５３３を有する。
【００４９】
秘密分散復元部５３１は、複数枚の差分画像の分散データを取得し、分散データに対して復元処理し、差分画像の符号化データを復元する。
【００５０】
画像復号部５３２は、ぼかし画像の符号化データと差分画像の符号化データとを復号し、１フレーム分のぼかし画像のデータと１フレーム分の差分画像のデータとを生成する。
【００５１】
尚、ぼかし画像及び差分画像は、カメラ１０の画像符号化部１２３により符号化されたデータである。画像復元部５３は、例えば、標準の圧縮形式により符号化されている場合、標準の復号形式で符号化データを復号する。画像復元部５３は、独自の符号化方式で符号化されている場合、画像復元部５３は、対応する独自の復号方式で符号化データを復号する。
【００５２】
画像合成部５３３は、復号されたぼかし画像と差分画像とを合成し、元画像を復元する。画像合成部５３３は、例えば、ぼかし画像と差分画像の対応する画素の値を加算することで、元画像を得る。
【００５３】
次に、秘密分散処理の具体例について説明する。
【００５４】
図７（Ａ），（Ｂ）は、秘密分散処理の一例の概略を説明するための模式図である。図７（Ａ）は対称型の秘密分散処理を示す。対称型の秘密分散処理は、例えば、閾値秘密分散とランプ型秘密分散とを含む。
【００５５】
対称型とは、秘密にしたいデータｓ（秘密データｓ）から分散処理により生成された各分散シェア（各分散データ）のサイズ比（分散比率）が同じであり、例えば分散シェア１：分散シェア２＝１：１であることを示す。また、図７（Ａ）の対称型の秘密分散では、秘密データｓと分散シェアとのサイズ比が、例えば、秘密データｓ：分散シェア１＝１：１である。
【００５６】
しきい値秘密分散では、秘密データｓが、ｎ個の分散シェアに分散して保存され、ｋ（ｋ≦ｎ）個の分散シェアが収集されて復元されることで、元の秘密データｓが得られる。分散シェアは、第三者に理解できない情報に変換されたデータであり、計算により解読不可能であることから、情報理論的に安全性を向上できる。図７（Ａ）に例示した閾値秘密分散を、しきい値ｋ、分散数ｎの（ｋ，ｎ）閾値秘密分散法ともいう。
【００５７】
なお、秘密分散処理として、（ｋ，ｎ）閾値秘密分散以外に、様々なバリエーションの秘密分散処理（例えば、閾値ｋ、分割数Ｌ、分散数ｎの（ｋ，Ｌ，ｎ）ランプ型秘密分散、閾値のない秘密分散、多項式秘密分散、排他的論理和を用いて高速化した秘密分散）がある。
【００５８】
複数の分散シェアを用いて秘密データｓを分散管理することで、例えば、冗長度をもたせることができ、保存された分散シェアの一部を損失した場合でも、秘密データｓを復元できる。よって、秘密分散処理を用いることで、情報理論的にセキュリティを向上でき、カメラシステム５の信頼性を向上できる。
【００５９】
また、秘密分散処理を用いることで、暗号化に必要な鍵の管理が不要となる。また、ランプ型秘密分散を用いる場合、例えば、分散データのデータ量を秘密データｓのデータ量の１／Ｌにできる。
【００６０】
尚、秘密分散処理では、分散シェアが複数生成されることから、差分画像から生成される分散シェアは、複数に分散して記憶されることになる。例えば、分散シェア数がｎであれば、差分画像に係るデータは、ｎ個出力される。
【００６１】
図７（Ｂ）は、非対称型の秘密分散を示す。非対称型とは、各分散シェアのサイズ比が異なり、例えば分散シェア１：分散シェア２＝１：ｒであることを示す。また、図７（Ｂ）の非対称型の秘密分散では、秘密データｓと分散シェアとのサイズ比が、例えば、秘密データｓ：分散シェア１＝１：１／（１＋ｒ）、秘密データｓ：分散シェア２＝１：ｒ／（１＋ｒ）である。また、非対称型では、通常、分散シェア数は２つである。
【００６２】
例えば、分散データのサイズ比（分散比率）を１：９とし、分散比率１の分散データにぼかし画像を付加することで、差分画像が不要な場合に本部９のＰＣ５０が受信する画像データのデータ量を低減でき、迅速に画像データの概要の把握できる。
【００６３】
以下では、秘密分散処理の具体例として、ｎ＝３、ｋ＝２の閾値秘密分散を用いることを主に想定する。
【００６４】
次に、カメラシステム５の動作例について説明する。
【００６５】
図８は、所定の端末による初期設定手順の一例を示すフローチャートである。初期設定とは、カメラシステム５において適切に秘密分散処理を行うための各種設定である。例えば、カメラシステム５の管理者が、インターネット７に接続された端末（図示せず）を操作部（図示せず）を介して操作することで、図８の初期設定の処理が実行される。
【００６６】
端末は、例えば、携帯型の端末（スマートフォン等）、タブレット端末、ＰＣ、でもよい。このＰＣは、本部９に設置されたＰＣ５０でもよいし、他のエリアに配置されたＰＣでもよい。また、端末は、カメラ１０自身でもよい。端末は、例えば通信機能を利用して、各種設定を行う。
【００６７】
端末は、例えば、通信部、操作部、制御部、表示部、及び記憶部を備える。端末は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を有する。端末では、ＣＰＵ又はＤＳＰが、ＲＯＭ又はＲＡＭに格納されたプログラムを実行することで、端末の各種機能を実現する。
【００６８】
尚、端末を操作する代わりに、記憶媒体（例えばＳＤカード）に予め秘密分散処理に係る設定情報を書き込んでおき、この記憶媒体をカメラ１０に読み込ませてもよいし、カメラ１０に対し、操作者が操作部（図示せず）を介して直接設定してもよい。
【００６９】
まず、端末の制御部は、カメラ１０に対し、カメラ１０により撮像された画像から得られる、ぼかし画像及び差分画像の分散データの送信先の情報を設定する（Ｓ１）。ぼかし画像及び分散データの送信先の情報は、例えば送信先記憶部１３に保持される、構成ファイル７５（図９参照）に登録される。
【００７０】
端末の制御部は、カメラ１０に対し、構成ファイル７５の送信先（例えばＰＣ５０、記憶装置３０）を設定する（Ｓ２）。この構成ファイルの送信先としては、例えば、認証が必要な安全な場所が相応しい。構成ファイルの送信先の情報は、例えば送信先記憶部１３に保持される。
【００７１】
端末の制御部は、カメラ１０に対し、ぼかし画像のぼかし具合（ぼかし度）を設定する（Ｓ３）。ぼかし具合の設定値は、例えば送信先記憶部１３に保持され、構成ファイル７５に登録される。
【００７２】
端末の制御部は、カメラ１０に対し、秘密分散処理の方法を設定する（Ｓ４）。秘密分散処理の方法には、例えば、対称型か非対称型が含まれる。秘密分散処理の方法には、例えば、対称型の場合、分散数、しきい値、ランプ値等の設定値が含まれる。秘密分散処理の方法には、例えば、非対称型の場合、分散比率等の設定値が含まれる。秘密分散処理の方法には、例えば、分散処理の対象を元画像にするか差分画像にするかの設定情報が含まれる。秘密分散処理の方法には、分散データとぼかし画像とを結合するか否かの設定情報も含まれる。秘密分散処理の方法の情報は、例えば送信先記憶部１３に保持され、構成ファイル７５に登録される。
【００７３】
尚、カメラシステム５が、上記設定（Ｓ１〜Ｓ３における設定）を固定とする場合、これらの設定処理は最初に必要であり、その後は不要である。
【００７４】
端末の制御部は、構成ファイル７５の送信先の情報を、カメラ１０と同様に、ＰＣ５０に対しても設定する（Ｓ５）。設定された情報は、送信先記憶部５１に記憶される。この後、初期設定動作は終了する。
【００７５】
図８の初期設定動作により、ぼかし画像と各分散データとが異なる記憶先（例えば記憶装置３０）に保存されても、各データを紐付けて、復元対象のデータとしてＰＣ５０が収集できる。また、構成ファイル７５の各項目に情報が登録されることで、ユーザ所望の秘密分散処理を実行できる。また、分散データの送信先が操作部等を介して指定されるので、データの保存先の自由度を向上できる。
【００７６】
図９は、構成ファイル７５の登録内容の一例を示す模式図である。構成ファイル７５に登録される情報は、秘密分散処理、分散処理に係る設定情報の一例である。
【００７７】
構成ファイル７５は、例えば、ぼかし度、ぼかし画像の送信先（保存先）、分散データの送信先（保存先）、秘密分散処理の方法の情報を含む。構成ファイル７５は、例えば、画像データの分散処理時や初期設定時にカメラ１０によって設定される。カメラ１０は、予め決められた保存先に構成ファイル７５を送信して保存させる。ＰＣ５０は、構成ファイル７５の参照が必要な場合に、構成ファイル７５の保存先にアクセスし、構成ファイル７５を参照する。
【００７８】
構成ファイル７５は、例えば、初期設定で指定された安全な場所（例えば、耐タンパ性を有するセキュアな領域を有する装置）に送信され、保存される。例えば、構成ファイル７５は、本部９のＰＣ５０に格納されてもよいし、クラウド（例えばパブリッククラウド６）上の記憶装置３０に格納されてもよい。構成ファイル７５は、例えば、上記の端末により、暗号化処理や秘密分散処理を用いて秘匿化されてもよい。構成ファイル７５に対し、秘密分散処理が行われる場合、構成ファイル７５の分散データの送信先の数は、分散数に応じた数となる。
【００７９】
構成ファイル７５を用いることで、ぼかし画像と各分散データとが異なる記憶先（例えば記憶装置３０）に保存されても、各データを紐付けて、復元対象のデータとしてＰＣ５０が収集できる。また、構成ファイル７５の各項目に情報が登録されることで、ユーザ所望の秘密分散処理を実行できる。
【００８０】
図１０は、カメラ１０による処理手順の一例を示すフローチャートである。
【００８１】
まず、撮像部１１は、画像を撮像し、画像データ（元画像）を取得する（Ｓ１１）。画像分散部１２は、ぼかし具合の設定値に基づいて、元画像からぼかし画像を生成する（Ｓ１２）。画像分散部１２は、秘密分散処理の方法の設定値に基づいて、差分画像の分散データを生成する（Ｓ１３）。これらの設定値は、例えば、カメラ１０の操作部を介して入力され、画像分散部１２により設定される。
【００８２】
カメラ１０の構成ファイル生成部（不図示）は、前述した構成ファイル７５を生成する（Ｓ１４）。構成ファイル７５には、例えば、Ｓ１２，Ｓ１３の設定値が含められる。構成ファイル生成部は、設定情報生成部の一例である。
【００８３】
送信部１４は、図８のＳ２において設定された構成ファイル７５の送信先（例えばＰＣ５０、記憶装置３０）に、構成ファイル７５を送信する（Ｓ１５）。
【００８４】
送信部１４は、送信先記憶部１３に記憶された送信先の情報を用いて、ぼかし画像及び複数枚の差分画像の分散データを送信先に送信する（Ｓ１６）。この後、カメラ１０の送信動作が終了する。
【００８５】
図１０に示した処理によれば、カメラ１０がぼかし画像を生成するので、ぼかし画像が確認されることで、元画像データの概要を把握できる。従って、セキュリティを確保でき、プライバシーを保護できる。また、分散データを生成することで、他の装置（例えばＰＣ５０）によって元画像を復元できるので、必要時（例えば犯罪発生時）に元画像の詳細を確認でき、セキュリティを向上できる。
【００８６】
尚、例えば、構成ファイルの生成及び送信は、最初に一度行われ、その後は省略されてもよいし、画像データを取得する度に行われてもよい。
【００８７】
図１１は、ＰＣ５０による処理手順の一例を示すフローチャートである。
【００８８】
まず、受信部５２は、送信先記憶部５１に記憶された構成ファイル７５の保存先（送信先）から、構成ファイル７５を取得する（Ｓ２１）。受信部５２は、構成ファイル７５に登録された保存先から、ぼかし画像を取得する（Ｓ２２）。受信部５２は、構成ファイル７５に登録された保存先から、差分画像の分散データを取得する（Ｓ２３）。
【００８９】
画像復元部５３は、構成ファイル７５に登録された設定値（例えば、ぼかし度、秘密分散処理の方法）に基づいて、ぼかし画像と差分画像の分散データとを用いて、元画像を復元する（Ｓ２４）。表示部５４は、復元された元画像を表示する（Ｓ２５）。この後、ＰＣ５０の受信動作は終了する。
【００９０】
図１１に示した処理によれば、ぼかし画像を確認することで、元画像の概要を把握でき、プライバシーを保護できる。また、詳細な元画像の情報が必要な場合（例えば犯罪発生時）に、分散データを取得して元画像データを復元することで、元画像の詳細を確認でき、セキュリティを確保できる。
【００９１】
カメラシステム５では、パブリッククラウド６の記憶装置３０に全ての分散データが記憶されている。これにより、通常時には、監視センタ等の本部９では、ぼかし画像を確認して（視聴して）、元画像の概要を把握できる。そして、必要な時（例えば犯罪発生時）には、残りの差分画像を取得して、元画像の詳細を確認できる。従って、通常時に取得すべき画像のデータ量を小さくできる。
【００９２】
また、例えば、カメラ１０が監視カメラの場合、犯罪者でない一般人が多数映り込んでいる場合が多く、元画像の詳細を常に把握できるようにすると、プライバシーを侵害する可能性がある。これに対し、カメラシステム５では、通常時には元画像の概要を確認することに留まるので、プライバシーを適切に保護できる。
【００９３】
このように、プライバシーとセキュリティとを両立でき、画像データの概要を容易に確認できる。また、各画像の保存先を初期設定時に任意に指定できるので、画像データの保存先の自由度を向上できる。
【００９４】
また、パブリッククラウド６の記憶装置３０の各々に分散データが分散保存されるので、例えば、分散データの一部が破壊されても、又は記憶装置３０の一部がダウンしても、残りの分散データを使用できる可能性がある。例えば、ＰＣ５０は、３つの分散データのうちの２つの分散データを取得することで、元画像を復元できる。従って、ＢＣＰ（Ｂｕｓｉｎｅｓｓ  Ｃｏｎｔｉｎｕｉｔｙ  Ｐｌａｎ）の対策（例えば、サーバ障害、災害時のデータ紛失、アクセスの確保、に対する対策）を強化できる。
【００９５】
また、カメラ１０が撮像部１１を備えるので、１つの装置内で画像の撮像、分散処理、並びにぼかし画像及び分散データの送信を実施でき、拠点３内の構成を簡素化できる。
【００９６】
また、ＰＣ５０は、構成ファイル７５の設定情報に基づいて、ぼかし画像及び複数の分散データを取得して復元するので、元画像を容易に復元できる。また、構成ファイル７５には、例えば、ぼかし具合や秘密分散処理の方法が設定値として登録されるので、ＰＣ５０は、構成ファイル７５を参照して、復元処理を簡便かつ適切に実行できる。
【００９７】
（第２の実施形態）
第２の実施形態では、差分画像ではなく、元画像から分散データを生成する場合を示す。
【００９８】
第２の実施形態のカメラシステムは、第１の実施形態のカメラシステム５と同様の構成を有する。本実施形態のカメラシステムにおいて、第１の実施形態のカメラシステム５と同一の構成要素については、同一の符号を用いることで、その説明を省略又は簡略化する。本実施形態のカメラシステムは、不図示であるが、カメラ１０Ａ、記憶装置３０、及びＰＣ５０Ａが、インターネット７を介して接続される。
【００９９】
図１２は、第２の実施形態におけるカメラ１０Ａの構成例を示すブロック図である。カメラ１０Ａは、画像分散部１２Ａを除き、カメラ１０と同様の構成を有する。
【０１００】
画像分散部１２Ａは、元画像からぼかし画像を生成するが、差分画像を生成しない。画像分散部１２Ａは、元画像に対して、所定の秘密分散法に係る分散処理を施し、複数枚の元画像の分散データを生成する。つまり、１つの元画像に対して、分散データが複数生成される。
【０１０１】
図１３は分散データの形式の一例を示す模式図である。カメラ１０Ａにより撮像された画像データから、ぼかし画像と、複数枚（Ｎ枚）の元画像の分散データと、が生成される。この場合、複数枚の元画像の分散データが結合されることで、元画像が復元される。尚、元画像の復元には、ぼかし画像は不要である。従って、画像の復元時に、ＰＣ５０がぼかし画像を取得する必要がなく、データ伝送量を低減できる。
【０１０２】
図１４は、画像分散部１２Ａの構成例を示すブロック図である。画像分散部１２Ａでは、画像分散部１２と比較して、差分画像生成部１２２が省略され、画像符号化部１２３の代わりに画像符号化部１２３Ａを備え、秘密分散処理部１２４の代わりに秘密分散処理部１２４Ａを備える。
【０１０３】
画像符号化部１２３Ａは、低周波画像生成部１２１からの低周波画像、及び元画像を符号化する。秘密分散処理部１２４Ａは、符号化された元画像データに対して分散処理し、符号化された元画像の分散データを複数枚（Ｎ枚）得る。
【０１０４】
図１５は、ＰＣ５０Ａの構成例を示すブロック図である。ＰＣ５０Ａは、画像復元部５３Ａを除き、ＰＣ５０と同様の構成を有する。画像復元部５３Ａは、複数枚の元画像の分散データを用いて復元処理し、元画像を得る。
【０１０５】
図１６は、画像復元部５３Ａの構成例を示すブロック図である。画像復元部５３Ａでは、画像復元部５３と比較して、秘密分散復元部５３１Ａと画像復号部５３２Ａが異なり、画像合成部５３３が省略されている。秘密分散復元部５３１Ａは、複数枚の元画像の分散データを取得し、分散データに対して復元処理し、元画像の符号化データを復元する。画像復号部５３２Ａは、元画像の符号化データを復号し、それぞれ１フレーム分の元画像のデータを生成する。
【０１０６】
次に、本実施形態のカメラシステムの動作例について説明する。
【０１０７】
本実施形態のカメラシステムでは、元画像の分散データが通信されるので、第１の実施形態と比較すると、例えば以下の点で動作が異なる。
【０１０８】
カメラ１０Ａの処理では、図１０に示したフローチャートにおいて、Ｓ１３において、分散データとして元画像の分散データが生成され、送信される。その他の手順は、図１０と同様である。
【０１０９】
ＰＣ５０Ａの処理では、図１１に示したフローチャートにおいて、Ｓ２２において、ぼかし画像を取得する手順が省かれ、Ｓ２４において、元画像の復元にぼかし画像が不要である。その他の手順は、図１１と同様である。
【０１１０】
第２の実施形態のカメラシステムによれば、第１の実施形態のカメラシステム５と同様の効果が得られる。また、差分画像の生成が不要であり、元画像の復元にぼかし画像が不要である。従って、元画像の分散データを収集することで、容易に元画像を復元できる。
【０１１１】
（第３の実施形態）
第３の実施形態では、ぼかし画像が差分画像の分散データに結合されて通信される場合を示す。
【０１１２】
第３の実施形態のカメラシステムは、第１の実施形態のカメラシステム５と同様の構成を有する。本実施形態のカメラシステムにおいて、第１の実施形態のカメラシステム５と同一の構成要素については、同一の符号を用いることで、その説明を省略又は簡略化する。本実施形態のカメラシステムは、不図示であるが、カメラ１０Ｂ、記憶装置３０、及びＰＣ５０Ｂが、インターネット７を介して接続される。
【０１１３】
図１７は、第３の実施形態におけるカメラ１０Ｂの構成例を示すブロック図である。カメラ１０Ｂは、データ結合部１５を除き、カメラ１０と同様の構成を有する。
【０１１４】
データ結合部１５は、ぼかし画像を少なくとも１つの差分画像の分散データに結合する。送信部１４は、ぼかし画像と差分画像の分散データとが結合された分散データを送信する。送信部１４は、ぼかし画像が結合されていない差分画像の分散データを送信してもよい。ぼかし画像がどの分散データに結合されるかは、例えば予め定められる。
【０１１５】
図１８（Ａ），（Ｂ）は、分散データの形式の一例を示す模式図である。
【０１１６】
図１８（Ａ）では、１つの差分画像の分散データ（ここでは分散データ１）に、ぼかし画像が結合され、他の差分画像の分散データ（ここでは分散データ２，・・・，Ｎ）に、ぼかし画像が結合されていない場合を示す。
最初にＰＣ５０で取得する分散データに対してぼかし画像を結合することで、ＰＣ５０で元画像の概要を把握でき、保存するデータの総量を少なくできる。
【０１１７】
図１８（Ｂ）では、全ての差分画像の分散データにぼかし画像が結合された場合を示す。各分散データに結合される各ぼかし画像は、同じ画像である。図１８（Ｂ）のように、全ての差分画像の分散データにぼかし画像が結合される場合、いずれの送信先にもぼかし画像が送信されるので、いずれの送信先においても元画像の概要を把握でき、利便性を向上できる。
また、ぼかし画像を少なくとも２つ以上の差分画像に結合することで、ぼかし画像の一部が破壊されても、残りのぼかし画像を使うことで元画像を復元できる。
【０１１８】
図１９は、ＰＣ５０Ｂの構成例を示すブロック図である。ＰＣ５０Ｂは、データ分離部５５を除き、第１の実施形態と同様の構成を有する。データ分離部５５は、ぼかし画像と差分画像の分散データとが結合された分散データから、ぼかし画像と差分画像の分散データとを分離する。
【０１１９】
次に、本実施形態のカメラシステムの動作例について説明する。
【０１２０】
図２０は、カメラ１０Ｂによる処理手順の一例を示すフローチャートである。図２０において、図１０の処理と同一の処理については、同一のステップ番号を付し、その説明を省略又は簡略化する。
【０１２１】
Ｓ１２，Ｓ１３において、画像分散部１２がぼかし画像及び差分画像の分散データを生成した後、データ結合部１５は、ぼかし画像と所定の差分画像の分散データとを結合する（Ｓ１３Ａ）。尚、ぼかし画像は少なくとも１枚の差分画像の分散データと結合される。
【０１２２】
送信部１４は、ぼかし画像と差分画像の分散データとが結合された、複数枚の分散データを送信する（Ｓ１６Ａ）。送信部１４は、ぼかし画像が結合された分散データを送信し、更にぼかし画像が結合されていない分散データを送信してもよい。
【０１２３】
図２１は、ＰＣ５０Ｂによる処理手順の一例を示すフローチャートである。図２１において、図１１の処理と同一の処理については、同一のステップ番号を付し、その説明を省略又は簡略化する。
【０１２４】
受信部５２は、構成ファイル７５に登録された保存先（送信先）から、ぼかし画像と差分画像の分散データとが結合された、少なくとも１枚の分散データを取得する（Ｓ２２Ａ）。受信部５２は、ぼかし画像が結合された分散データを受信し、更にぼかし画像が結合されていない分散データを受信してもよい。
【０１２５】
データ分離部５５は、結合された分散データを、ぼかし画像と差分画像の分散データとに分離する（Ｓ２３Ａ）。
【０１２６】
Ｓ２４では、画像復元部５３は、構成ファイル７５に登録された設定値に基づいて、分離されたぼかし画像と差分画像の分散データとを用いて復元処理し、元画像を得る。
【０１２７】
第３の実施形態のカメラシステムによれば、ぼかし画像と分散データとが結合されるので、分散データの送信先でも、ぼかし画像を確認して元画像の概要を把握できる。
【０１２８】
また、非対称型の秘密分散処理を用いて、分散比率の小さい分散データにぼかし画像を結合させた場合、通常時のデータ伝送量を少なくして元画像の概要を把握できる。また、分散比率の大きい分散データにぼかし画像を結合させた場合、復元が必要な場合に復元時のデータ伝送量を少なくでき、高速な復元が可能となる。
【０１２９】
尚、本実施形態の構成ファイル７５には、送信先の情報として、ぼかし画像が結合された分散データの送信先の情報を含み、ぼかし画像が結合されていない分散データの送信先の情報を含んでもよい。
【０１３０】
（第４の実施形態）
第４の実施形態では、ぼかし画像が元画像の分散データに結合されて通信される場合を示す。
【０１３１】
第４の実施形態のカメラシステムは、第１〜３の実施形態のカメラシステムと同様の構成を有する。本実施形態のカメラシステムにおいて、第１〜第３の実施形態のカメラシステムと同一の構成要素については、同一の符号を用いることで、その説明を省略又は簡略化する。本実施形態のカメラシステムは、不図示であるが、カメラ１０Ｃ、記憶装置３０、及びＰＣ５０Ｃが、インターネット７を介して接続される。
【０１３２】
図２２は、第４の実施形態におけるカメラ１０Ｃの構成例を示すブロック図である。カメラ１０Ｃは、画像分散部１２Ａ、データ結合部１５Ａの他、カメラ１０Ｂと同様の構成を有する。
【０１３３】
画像分散部１２Ａは、元画像からぼかし画像を生成し、元画像の分散データを生成する。データ結合部１５Ａは、ぼかし画像を少なくとも１つの元画像の分散データに結合する。送信部１４は、ぼかし画像と元画像の分散データとが結合された分散データを送信する。送信部１４は、ぼかし画像が結合されていない元画像の分散データを送信してもよい。ぼかし画像がどの分散データに結合されるかは、例えば予め定められる。
【０１３４】
図２３（Ａ），（Ｂ）は、分散データの形式の一例を示す模式図である。
【０１３５】
図２３（Ａ）では、１つの元画像の分散データ（ここでは分散データ１）に、ぼかし画像が結合され、他の元画像の分散データ（ここでは分散データ２，・・・，Ｎ）に、ぼかし画像が結合されていない場合を示す。
最初にＰＣ５０で取得する分散データに対してぼかし画像を結合することで、ＰＣ５０で元画像の概要を把握でき、保存するデータの総量を少なくできる。
【０１３６】
図２３（Ｂ）では、全ての元画像の分散データにぼかし画像が結合された場合を示す。各分散データに結合される各ぼかし画像は、同じ画像である。図２３（Ｂ）のように、全ての元画像の分散データにぼかし画像が結合される場合、いずれの送信先にもぼかし画像が送信されるので、いずれの送信先においても元画像の概要を把握でき、利便性を向上できる。
【０１３７】
図２４は、ＰＣ５０Ｃの構成例を示すブロック図である。ＰＣ５０Ｃは、データ分離部５５Ａ、画像復元部５３Ａの他、ＰＣ５０Ｂと同様の構成を有する。データ分離部５５Ａは、ぼかし画像と元画像の分散データとが結合された分散データから、ぼかし画像と元画像の分散データとを分離する。画像復元部５３Ａは、複数の元画像の分散データを用いて復元処理し、元画像を得る。
【０１３８】
次に、本実施形態のカメラシステムの動作例について説明する。
【０１３９】
本実施形態のカメラシステムでは、元画像の分散データが通信されるので、第３の実施形態と比較すると、例えば以下の点で動作が異なる。
【０１４０】
カメラ１０Ｃの処理では、図２０に示したフローチャートにおいて、Ｓ１３Ａにおいて、ぼかし画像と元画像の分散データが結合された分散データが生成され、送信される。その他の手順は、図２０と同様である。
【０１４１】
ＰＣ５０Ｃの処理では、図２１に示したフローチャートにおいて、Ｓ２２Ａにおいてぼかし画像と元画像の分散データとが結合された少なくとも１枚の分散データを取得し、Ｓ２４において、元画像の復元にぼかし画像が不要である。その他の手順は、図２１と同様である。
【０１４２】
第４の実施形態のカメラシステムによれば、第３の実施形態のカメラシステムと同様の効果が得られる。また、ぼかし画像と分散データとが結合されるので、分散データの送信先でも、ぼかし画像を確認して元画像の概要を把握できる。また、元画像の復元には、ぼかし画像が不要であるので、元画像の分散データを収集することで、容易に元画像を復元できる。
【０１４３】
以下、システム構成の変形例について説明する。以下の変形例は、第１〜第４の実施形態のカメラシステムのいずれに対しても適用できる。
【０１４４】
（変形例１）
図２５は、変形例１におけるカメラシステム５Ｄの構成を示す模式図である。カメラシステム５Ｄでは、拠点３にレコーダ３０Ａ（記憶装置の一例）が設置される。ぼかし画像及び全ての分散データは、レコーダ３０Ａのデータ記憶領域３０ａに記憶される。カメラシステム５Ｄでは、パブリッククラウド６（図１参照）には、分散データが記憶されない。例えば、拠点３において、カメラ１０、通信装置２０、及びレコーダ３０Ａは、狭域通信回線（例えばＬＡＮ（Ｌｏｃａｌ  Ａｒｅａ  Ｎｅｔｗｏｒｋ））を介して接続される。尚、ぼかし画像及び分散データの記憶先の情報は、構成ファイル７５に含まれる。狭域通信回線は、狭域無線回線及び狭域有線回線の少なくとも一方を含む。
【０１４５】
本部９に設置されたＰＣ５０は、インターネット７を介して接続されるレコーダ３０Ａからぼかし画像及び分散データを取得し、元画像を復元する。
【０１４６】
カメラシステム５Ｄでは、通常、ＰＣ５０が、拠点３のレコーダ３０Ａからぼかし画像を取得し、ＰＣ５０の管理者が、取得されたぼかし画像を確認する。また、必要時（例えば犯罪発生時）に、ＰＣ５０が、拠点３のレコーダ３０Ａからぼかし画像及び差分画像の分散データ、又は元画像の分散データを取得して元画像を復元し、ＰＣ５０の管理者が、復元された元画像を確認する。
【０１４７】
これにより、ＰＣ５０による通常時の画像データの取得を抑制できる。また、クラウド（例えばパブリッククラウド６）を用いず、拠点３内のレコーダ３０Ａを用いることで、既存の設備を利用でき、カメラシステム５Ｄに要するコストを低減できる。
【０１４８】
尚、ＰＣ５０（又はＰＣ５０に準じるタブレット端末）が拠点３に設置され、拠点３のＰＣ５０が元画像を復元し、拠点３のユーザが元画像を確認してもよい。この場合、セキュリティを確保して、現場で元画像を確認できる。尚、変形例１の効果は、対称型の秘密分散処理でも非対称型の秘密分散処理でも同様に得られる。
【０１４９】
（変形例２）
図２６は、変形例２におけるカメラシステム５Ｅの構成を示す模式図である。カメラシステム５Ｅでは、パブリッククラウド６の記憶装置３０及び拠点３に設置されたレコーダ３０Ａにより、分散データが記憶される。また、例えば記憶装置３０により、ぼかし画像が記憶される。尚、ぼかし画像及び分散データの記憶先の情報は、構成ファイル７５に含まれる。
【０１５０】
従って、上記と同様に、ＰＣ５０による通常時の画像データの伝送量を抑制できる。また、対称型の秘密分散処理を行い、パブリッククラウド６において複数の分散データが記憶される場合、ＢＣＰの対策を強化できる。また、拠点３内のレコーダ３０Ａを用いることで、既存の設備を利用できカメラシステム５Ｅに要するコストを低減できる。
【０１５１】
また、非対称型の秘密分散処理を行う場合、例えば、分散比率の小さい分散データにぼかし画像を結合することで、通常時の通信データのサイズを小さくでき、通信コストを低減できる。
【０１５２】
（変形例３）
図２７は、変形例３におけるカメラシステム５Ｆの構成を示す模式図である。カメラシステム５Ｆでは、本部９にレコーダ３０Ｂ（記憶装置の一例）が設置され、パブリッククラウド６の記憶装置３０及び本部９に設置されたレコーダ３０Ｂにより、分散データが記憶される。また、例えばレコーダ３０Ｂにより、ぼかし画像が記憶される。尚、ぼかし画像及び分散データの記憶先の情報は、構成ファイル７５に含まれる。
【０１５３】
従って、上記と同様に、ＰＣ５０による通常時の画像データの伝送量を抑制できる。また、本部９に設置されたレコーダ３０Ｂを用いることで、元画像の復元時の分散データの転送量を低減でき、ＰＣ５０による元画像の復元を高速化できる。
【０１５４】
（変形例４）
図２８は、変形例４におけるカメラシステム５Ｇの構成を示す模式図である。カメラシステム５Ｇでは、本部９に設置されたレコーダ３０Ｃに、ぼかし画像及び全ての分散データが記憶される。レコーダ３０Ｃには、例えば、複数のデータ記憶領域３０ｅ，３０ｆ，３０ｇが割り当てられており、それぞれに分散データが記憶される。例えば、本部９において、レコーダ３０Ｂ、通信装置４０、及びＰＣ５０は、狭域通信回線（例えばＬＡＮ）を介して接続される。尚、ぼかし画像及び分散データの記憶先の情報は、構成ファイル７５に含まれる。
【０１５５】
カメラシステム５Ｇによれば、拠点３にレコーダ３０Ａを設置する必要がなく、拠点におけるシステム構成を簡素化できる。また、ぼかし画像及び全ての分散データがレコーダ３０Ｃに記憶されるので、ＰＣ５０により元画像を高速に復元できる。尚、変形例４の効果は、対称型の秘密分散処理でも非対称型の秘密分散処理でも同様に得られる。
【０１５６】
（変形例５）
図２９は、変形例５におけるカメラシステム５Ｈの構成を示す模式図である。カメラシステム５Ｈでは、パブリッククラウド６の記憶装置３０が存在せず、拠点３のレコーダ３０Ａ及び本部９のレコーダ３０Ｂに分散データが記憶される。また、例えばレコーダ３０Ｂにより、ぼかし画像が記憶される。尚、ぼかし画像及び分散データの記憶先の情報は、構成ファイル７５に含まれる。
【０１５７】
従って、上記と同様に、ＰＣ５０による通常時の画像データの伝送量を抑制できる。また、本部９に設置されたＰＣ５０は、元画像の復元時に、拠点３のレコーダ３０Ａからレコーダ３０Ｂに保持された分散データ以外の分散データを取得することで済むので、分散データの転送量を削減でき、高速に元画像を復元できる。
【０１５８】
（変形例６）
図３０は、変形例６におけるカメラシステム５Ｉの構成を示す図である。カメラシステム５Ｉでは、パブリッククラウド６、拠点３、及び本部９にそれぞれ記憶装置３０、レコーダ３０Ａ、及びレコーダ３０Ｂが設置される。そして、記憶装置３０、レコーダ３０Ａ、及びレコーダ３０Ｂのそれぞれに、分散データが記憶される。また、例えばレコーダ３０Ｂにより、ぼかし画像が記憶される。尚、ぼかし画像及び分散データの記憶先の情報は、構成ファイル７５に含まれる。
【０１５９】
従って、上記と同様に、ＰＣ５０による通常時の画像データの伝送量を抑制できる。また、分散データの保存先が各々異なるので、ＢＣＰの対策を強化できる。また、本部９に設置されたＰＣ５０は、元画像の復元時に、拠点３のレコーダ３０Ａ及びパブリッククラウド６の記憶装置３０から、レコーダ３０Ｂに保持された分散データ以外の分散データを取得することで済む。そのため、分散データの転送量を削減でき、高速に元画像を復元できる。
【０１６０】
（変形例７）
第１〜第４の実施形態及び変形例１〜６では、拠点３に設置されたカメラ１０がぼかし画像及び分散データを生成して送信することを例示した。変形例７では、拠点３内にＰＣを設け、このＰＣが分散データを生成して送信することを想定する。変形例７は、第１〜第４の実施形態及び変形例１〜６における拠点３の構成に適用できる。
【０１６１】
図３１は、変形例７におけるカメラシステム５Ｊの構成を示す模式図である。カメラシステム５Ｊでは、各拠点３に、カメラ１０の代わりにカメラ１０Ａが設置され、ＰＣ６０が設置される。
【０１６２】
図３２は、カメラ１０Ａ及びＰＣ６０の構成例を示すブロック図である。カメラ１０Ａは、カメラ１０と比較すると、画像分散部１２，１２Ａを備えず、撮像部１１、送信先記憶部１３、及び送信部１４を備える。送信先記憶部１３は、例えば、撮像部１１により撮像された画像データの送信先（ここではＰＣ６０）の情報を記憶する。送信部１４は、撮像部１１により撮像された画像データを送信する。
【０１６３】
ＰＣ６０は、受信部６１、画像分散部６２、送信先記憶部６３及び送信部６４を有する。受信部６１は、カメラ１０Ａから画像データを受信する。
【０１６４】
画像分散部６２は、画像分散部１２，１２Ａと同様の機能を有する。つまり、画像分散部６２は、例えば、受信部６１により受信された画像データ（元画像）からぼかし画像を生成する。画像分散部６２は、差分画像を生成し、差分画像の分散データを生成してもよい。画像分散部６２は、差分画像を生成せず、元画像の分散データを生成してもよい。
【０１６５】
送信先記憶部６３は、送信先記憶部１３と同様の情報を記憶する。送信部６４は、送信先記憶部６３に記憶された送信先の情報を参照し、画像分散部６２により生成された画像を送信する。
【０１６６】
つまり、ＰＣ６０は、カメラ１０Ａにより撮像された画像データ（元画像）を受け取り、ぼかし画像及び分散データを生成して送信する。これにより、カメラ１０ＡにＰＣ６０の機能（分散処理機能等）を付加しなくてよいので、既設のカメラを有効に活用でき、カメラ１０Ａの処理負荷を低減できる。
【０１６７】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１６８】
上記実施形態では、本部９に設置されたＰＣ５０が元画像に対して復元処理することを例示したが、拠点３にＰＣを設置し、このＰＣが元画像に対して復元処理してもよい。
【０１６９】
上記実施形態では、拠点３のレコーダ３０Ａに分散データが記憶される場合、元画像を撮像したカメラ１０が設置された拠点３と同じ拠点３のレコーダ３０Ａに記憶されることが主に想定されるが、異なる拠点３のレコーダ３０Ａに記憶されてもよい。
【０１７０】
（本発明の一態様の概要）
本発明の一態様の画像処理システムは、第１の画像処理装置、第２の画像処理装置、及び記憶装置がネットワークを介して接続された画像処理システムであって、前記第１の画像処理装置は、撮像された第１の画像データに対してぼかし処理を行い、第２の画像データを得る画像生成部と、前記第１の画像データに対して、又は前記第１の画像データに基づく第３の画像データに対して、分散処理し、複数の分散データを得る分散処理部と、前記第２の画像データ及び前記複数の分散データを、少なくとも１つの指定された記憶装置に送信する第１の通信部と、を備え、前記記憶装置は、前記第１の画像処理装置からの前記第２の画像データ及び前記分散データの少なくとも１つを記憶し、前記第２の画像処理装置は、前記少なくとも１つの指定された記憶装置から、前記第２の画像データ及び前記複数の分散データを受信する第２の通信部と、少なくとも前記複数の分散データに基づいて、前記第１の画像データを復元する復元処理部と、を備える。
【０１７１】
この構成によれば、ぼかし処理された第２の画像データを確認することで、第１の画像データの概要を把握でき、プライバシーを保護できる。また、詳細な画像の情報が必要な場合（例えば犯罪発生時）に、分散データを取得して第１の画像データを復元することで、第１の画像データの詳細を確認でき、セキュリティを確保できる。また、指定された記憶装置に各データを保存するので、画像データの保存先の自由度を向上できる。
【０１７２】
本発明の一態様の画像処理システムは、前記記憶装置の少なくとも１つが、公衆通信回線を介して前記第１の画像処理装置と接続され、前記第１の画像処理装置が配置されたエリアの外側に配置される。
【０１７３】
この構成によれば、例えばインターネットを介してクラウド上の記憶装置に記憶させることができる。また、例えば、クラウド上で分散データを分散配置する場合には、一部の分散データが壊れ、又は一部の記憶装置が故障することで、分散データの一部を取得できない場合でも、第１の画像データを復元できることがある。この場合、ＢＣＰの対策を強化できる。
【０１７４】
本発明の一態様の画像処理システムは、前記記憶装置の少なくとも１つが、狭域通信回線を介して前記第１の画像処理装置と接続され、前記第１の画像処理装置が設置されたエリア内に配置される。
【０１７５】
この構成によれば、第１の画像処理装置が設置されたエリア内の既存の設備（記憶装置）を利用でき、画像処理システムに要するコストを低減できる。
【０１７６】
本発明の一態様の画像処理システムは、前記記憶装置の少なくとも１つが、狭域通信回線を介して前記第２の画像処理装置と接続され、前記第２の画像処理装置が設置されたエリア内に配置される。
【０１７７】
この構成によれば、第２の画像処理装置が設置されたエリア内の既存の設備（記憶装置）を利用でき、画像処理システムに要するコストを低減できる。また、第２の画像処理装置が第１の画像データを復元する場合に、高速に復元できる。
【０１７８】
本発明の一態様の画像処理システムは、前記画像生成部が、前記第１の画像データに対して分散処理し、複数の分散データを得て、前記復元処理部が、前記複数の分散データに基づいて、前記第１の画像データを復元する。
【０１７９】
この構成によれば、第２の画像データを用いず複数の分散データを用いて第１の画像データを復元できるので、第１の画像データを復元する場合のデータの伝送量を低減できる。
【０１８０】
本発明の一態様の画像処理システムは、前記画像生成部が、前記第３の画像データとして、前記第１の画像データと前記第２の画像データとの差分画像を生成し、前記分散処理部が、前記差分画像に対して分散処理し、複数の分散データを得て、前記復元処理部が、前記第２の画像データと前記複数の分散データとに基づいて、前記第１の画像データを復元する。
【０１８１】
この構成によれば、差分画像を用いて第１の画像データを復元でき、第１の画像データの詳細を確認できる。また、差分画像を用いることで、分散データのデータ量を小さくでき、分散データの送信時のデータ伝送量を低減できる。
【０１８２】
本発明の一態様の画像処理システムは、前記第１の通信部が、前記第２の画像データが結合された分散データを含む複数の分散データを、少なくとも１つの前記記憶装置に送信し、前記第２の通信部が、前記少なくとも１つの記憶装置から複数の前記分散データを取得し、前記復元処理部が、前記第２の画像データが結合された分散データから前記第２の画像データを分離し、少なくとも複数の前記分散データに基づいて、前記第１の画像データを復元する。
【０１８３】
この構成によれば、第２の画像データが結合された分散データの記憶先においても、第１の画像データの概要を把握できる。従って、セキュリティの確保とプライバシーの保護とを両立できる。また、例えば、非対称型の秘密分散処理を行う場合、分散比率の小さい分散データに第２の画像データを結合させることで、この分散データのデータ量を低減させて第１の画像データの概要を把握できる。また、例えば、非対称型の秘密分散処理を行う場合、分散比率の大きい分散データに第２の画像データを結合させ、通常時に第２の画像処理装置へこのデータを送信することで、画像データを復元する際のデータ伝送量を低減でき、高速に第１の画像データを復元できる。
【０１８４】
本発明の一態様の画像処理システムは、前記第１の画像処理装置が、前記第１の画像データを撮像する撮像部を備える。
【０１８５】
この構成によれば、１つの装置内で画像の撮像、分散処理、及び分散データの送信を実施でき、第１の画像処理装置が配置されたエリア内の構成を簡素化できる。
【０１８６】
本発明の一態様の画像処理システムは、前記第１の画像データを撮像する撮像装置を備え、前記撮像装置が、前記第１の画像データを前記第１の画像処理装置へ送信し、前記第１の通信部が、前記第１の画像データを受信する。
【０１８７】
この構成によれば、第１の画像処理装置とは別に撮像装置が設けられるので、撮像装置において分散処理機能を省略でき、既設の撮像装置を有効に活用でき、撮像装置の処理負荷を低減できる
【０１８８】
本発明の一態様の画像処理システムは、前記第１の画像処理装置が、前記分散処理に係る設定情報を生成する設定情報生成部を備え、前記第１の通信部が、前記設定情報を送信し、前記第２の通信部が、前記設定情報を受信し、前記設定情報に基づいて、前記少なくとも１つの記憶装置から前記第２の画像データ及び複数の前記分散データを取得し、前記復元処理部が、前記設定情報に基づいて、前記第１の画像データを復元する。
【０１８９】
この構成によれば、秘密分散処理に係る各種の情報を適切に管理でき、所望の条件に従って分散処理された第１の画像データを正確に復元できる。
【０１９０】
本発明の一態様の画像処理システムは、前記設定情報が、前記第２の画像データの記憶先、前記分散データの記憶先、前記ぼかし処理によるぼかし具合、及び分散処理による分散方法の情報の少なくとも１つを含む。
【０１９１】
この構成によれば、分散処理に係る詳細な情報を適切に設定できる。
【０１９２】
本発明の一態様の画像処理装置は、撮像された第１の画像データに対してぼかし処理を行い、第２の画像データを得る画像生成部と、前記第１の画像データに対して、又は前記第１の画像データに基づく第３の画像データに対して、分散処理し、複数の分散データを得る分散処理部と、前記第２の画像データ及び前記複数の分散データを、少なくとも１つの指定された記憶装置に送信する通信部と、を備える。
【０１９３】
この構成によれば、ぼかし処理された第２の画像を生成するので、この第２の画像データが確認されることで、第１の画像データの概要を把握でき、プライバシーを保護できる。また、分散データを生成することで、他の画像処理装置によって分散データを取得して第１の画像データを復元できるので、必要時に第１の画像データの詳細を確認でき、セキュリティを確保できる。また、指定された記憶装置に各データが保存されるので、画像データの保存先の自由度が向上する。
【０１９４】
本発明の一態様の画像処理装置は、少なくとも１つの指定された記憶装置から、撮像された第１の画像データに対するぼかし処理により得られた第２の画像データと、複数の分散データと、を受信する通信部と、少なくとも前記複数の分散データに基づいて、前記第１の画像データを復元する復元処理部と、を備え、前記分散データは、前記第１の画像データに対して、又は前記第１の画像データに基づく第３の画像データに対して分散処理することで得られる。
【０１９５】
この構成によれば、ぼかし処理された第２の画像データを確認することで、第１の画像データの概要を把握でき、プライバシーを保護できる。また、詳細な画像の情報が必要な場合（例えば犯罪発生時）に、分散データを取得して第１の画像データを復元することで、第１の画像データの詳細を確認でき、セキュリティを確保できる。また、指定された記憶装置に各データが保存されるので、画像データの保存先の自由度が向上する。
【０１９６】
本発明の一態様の画像処理方法は、第１の画像処理装置、第２の画像処理装置、及び記憶装置がネットワークを介して接続された画像処理システムにおける画像処理方法であって、前記第１の画像処理装置により、撮像された第１の画像データに対してぼかし処理を行い、第２の画像データを得るステップと、前記第１の画像処理装置により、前記第１の画像データに対して、又は前記第１の画像データに基づく第３の画像データに対して、分散処理し、複数の分散データを得るステップと、前記第１の画像処理装置により、前記第２の画像データ及び前記複数の分散データを、少なくとも１つの指定された記憶装置に送信するステップと、前記第２の画像処理装置により、前記少なくとも１つの指定された記憶装置から、前記第２の画像データ及び前記複数の分散データを受信するステップと、前記第２の画像処理装置により、少なくとも前記複数の分散データに基づいて、前記第１の画像データを復元するステップと、を備える。
【０１９７】
この方法によれば、ぼかし処理された第２の画像データを確認することで、第１の画像データの概要を把握でき、プライバシーを保護できる。また、詳細な画像の情報が必要な場合（例えば犯罪発生時）に、分散データを取得して第１の画像データを復元することで、第１の画像データの詳細を確認でき、セキュリティを確保できる。また、指定された記憶装置に各データを保存するので、画像データの保存先の自由度を向上できる。
【産業上の利用可能性】
【０１９８】
本発明は、プライバシーとセキュリティとを両立でき、画像データの概要を容易に確認でき、画像データの保存先の自由度を向上できる画像処理システム、画像処理装置、及び画像処理方法等に有用である。
【符号の説明】
【０１９９】
３  拠点
５、５Ｄ、５Ｅ、５Ｆ、５Ｇ、５Ｈ、５Ｉ、５Ｊ  カメラシステム
６  パブリッククラウド
７  インターネット
９  本部
１０、１０Ｂ、１０Ｃ  カメラ
１１  撮像部
１２、１２Ａ  画像分散部
１３、５１、６３  送信先記憶部
１４、６４  送信部
１５、１５Ａ  データ結合部
２０、４０  通信装置
３０、３０Ａ、３０Ｂ、３０Ｃ  レコーダ（記憶装置）
３０ａ、３０ｅ、３０ｆ、３０ｇ  データ記憶領域
５０、５０Ａ、５０Ｂ、５０Ｃ、６０  ＰＣ
５２、６１  受信部
５３、５３Ａ  画像復元部
５４  表示部
５５、５５Ａ  データ分離部
７５  構成ファイル
１２１  低周波画像生成部
１２２  差分画像生成部
１２３、１２３Ａ  画像符号化部
１２４、１２４Ａ  秘密分散処理部
５３１  秘密分散復元部
５３２、５３２Ａ  画像復号部
５３３  画像合成部
【図１】
2016021649.tif 000003
【図２】
2016021649.tif 000004
【図３】
2016021649.tif 000005
【図４】
2016021649.tif 000006
【図５】
2016021649.tif 000007
【図６】
2016021649.tif 000008
【図７】
2016021649.tif 000009
【図８】
2016021649.tif 000010
【図９】
2016021649.tif 000011
【図１０】
2016021649.tif 000012
【図１１】
2016021649.tif 000013
【図１２】
2016021649.tif 000014
【図１３】
2016021649.tif 000015
【図１４】
2016021649.tif 000016
【図１５】
2016021649.tif 000017
【図１６】
2016021649.tif 000018
【図１７】
2016021649.tif 000019
【図１８】
2016021649.tif 000020
【図１９】
2016021649.tif 000021
【図２０】
2016021649.tif 000022
【図２１】
2016021649.tif 000023
【図２２】
2016021649.tif 000024
【図２３】
2016021649.tif 000025
【図２４】
2016021649.tif 000026
【図２５】
2016021649.tif 000027
【図２６】
2016021649.tif 000028
【図２７】
2016021649.tif 000029
【図２８】
2016021649.tif 000030
【図２９】
2016021649.tif 000031
【図３０】
2016021649.tif 000032
【図３１】
2016021649.tif 000033
【図３２】
2016021649.tif 000034